(57)【要約】      （修正有）【課題】被検体の検査対象物、特に乳房を圧迫板により圧迫・固定した状態での、作業者による作業効率を向上することができる圧迫板を提供する。【解決手段】圧迫板３４は被検体のマンモを圧迫する矩形状の底板４６（圧迫部）と、該底板４６の外周部から放射線源収容部容器側に向かって立設する４つの側壁５２ａ〜５２ｄと、側壁５２ａから溝部４４側に延在する基端部５４に設けられたコネクタ５６を有する。側壁５２ａの内側には、圧迫板３４の底板４６側を照明するための補助灯６０が取り付けられ、補助灯６０に電力を供給する電源を有する。【選択図】図２
2011152327.tif 000002
【特許請求の範囲】
【請求項１】
被検体の乳房に対して放射線を照射し放射線画像を取得するマンモグラフィ装置に着脱自在な圧迫板であって、
前記乳房を圧迫する圧迫部と、
前記圧迫部により圧迫される前記乳房側に指向する発光体と、
前記発光体に電力を供給する電力供給手段と
を有することを特徴とする圧迫板。
【請求項２】
請求項１記載の圧迫板において、
前記電力供給手段は、前記圧迫板に設けられているバッテリである
ことを特徴とする圧迫板。
【請求項３】
請求項１記載の圧迫板において、
前記圧迫板は、装着される際に前記マンモグラフィ装置と電気的に接続され、
前記電力供給手段は、前記マンモグラフィ装置に設けられた電源から供給される
ことを特徴とする圧迫板。
【発明の詳細な説明】
【技術分野】
【０００１】
本発明は、被検体の乳房に対して放射線を照射し放射線画像を取得するマンモグラフィ装置に着脱自在な圧迫板に関する。
【背景技術】
【０００２】
従来より、病気の診断等のため、被検体の検査対象物に生検針を穿刺し、該検査対象物中の生検部位（例えば、被検体の乳房中の病変部位）の組織を前記生検針で採取して精密な検査を行うことが広く行われている。前記生検針の先端部には開口（採取部）が設けられており、前記生検部位の近傍に前記開口を配置し、該開口を介して前記組織の一部を吸引することにより、該組織の一部を採取する。この場合、前記組織を確実に採取するためには、前記生検針の先端部が前記生検部位の近傍に配置されるように前記検査対象物に対して前記生検針を正確に穿刺することが必要である。
【０００３】
例えば、特許文献１には、検査対象物を圧迫する圧迫板に生検針を貫通するための複数の貫通孔が形成されている場合に、生検のために適切な（すなわち、生検部位に最も近い）貫通孔を光学的にマーキングする手段を設けた装置が開示されている。これにより、前記検査対象物の平面視二次元座標上における適切な穿刺位置を視認できるので、医師又は技師（以下、「作業者」という。）による確認作業の負担を軽減可能である。
【０００４】
一方、前記組織を確実に採取するためには、前記生検部位の三次元位置が予め特定されていることも必要である。
【０００５】
そこで、放射線画像撮影装置を用いて、異なる２つの角度に配置した放射線源から検査対象物に対して放射線をそれぞれ照射し、前記検査対象物を透過した前記放射線を放射線検出器で検出して２枚の放射線画像を取得するステレオ撮影を行い、前記２枚の放射線画像に基づいて前記生検部位の三次元位置を算出することが行われている。
【０００６】
さらに、各放射線画像上で適切な濃度を得るために自動露出制御装置が用いられる場合がある。この場合、放射線量を適切に自動制御するためには、前記自動露出制御装置が備える検出器が適切な位置に配置された状態で、放射線を照射する必要がある。
【０００７】
例えば、特許文献２には、圧迫板を用いて検査対象物を圧迫した状態で、前記検出器の位置を前記検査対象物上に投光する手段を設けた装置が開示されている（図３、図５及び図６参照）。これにより、前記検査対象物の平面視二次元座標上における放射線の検出位置を視認できるので、作業者による確認作業の負担を軽減可能である。
【先行技術文献】
【特許文献】
【０００８】
【特許文献１】特開平８−２１５１９８号公報
【特許文献２】特開平８−８０２９５号公報
【発明の概要】
【発明が解決しようとする課題】
【０００９】
ところで、被検体の検査対象物を圧迫板により圧迫・固定した状態で、作業者が種々の準備作業を行う場合がある。例えば、放射線画像撮影におけるポジショニングの良し悪しを確認する作業や、生検施術における穿刺位置の皮膚表面を消毒する作業等が挙げられる。特に、アップライト方式のマンモグラフィ装置において、撮影室や病室等の照明と、固定された検査対象物との間に何らかの障害物があると、照明光が遮断され、その障害物の形状に応じた陰影が形成される。これによって、検査対象物の周辺が全体的又は部分的に暗くなり、上記した準備作業の妨げとなる不都合が生じ得る。
【００１０】
特許文献１に開示された装置では、特定の貫通孔にマークとしての光が照射されるものの、検査対象物を直接的に照明するものではないから、補助灯としての機能を発揮できない。
【００１１】
また、特許文献２に開示された装置では、放射線の検出位置を視認させるための投光部を、準備作業等の際の補助灯として用いることも可能である。しかし、圧迫板に対して斜め上方から光を照射するので、被検体の身体の一部（例えば、検査対象物が乳房の場合は腕部）や作業者の身体の一部（特に頭部）による遮光の影響を排除できないことが多い。
【００１２】
いずれにせよ、特許文献１及び２に開示された装置では、何らかの障害物により発生する陰影のため、作業者の作業効率が低下するという不都合があった。
【００１３】
本発明は上記の課題に鑑みてなされたものであり、被検体の検査対象物、特に乳房を圧迫板により圧迫・固定した状態での、作業者による作業効率を向上することができる圧迫板を提供することを目的とする。
【課題を解決するための手段】
【００１４】
本発明は、被検体の乳房に対して放射線を照射し放射線画像を取得するマンモグラフィ装置に着脱自在な圧迫板に関する。
【００１５】
前記乳房を圧迫する圧迫部と、前記圧迫部により圧迫される前記乳房側に指向する発光体と、前記発光体に電力を供給する電力供給手段とを有することを特徴とする。
【００１６】
このように、圧迫される乳房側に指向する発光体を圧迫板に設けたので、発光体と乳房との距離を短くすることが可能であり、両者の間の障害物の影響が小さくなる。これにより、乳房を圧迫板により圧迫・固定した状態での、作業者による作業効率を向上することができる。
【００１７】
また、前記電力供給手段は、前記圧迫板に設けられているバッテリであることが好ましい。
【００１８】
また、前記圧迫板は、装着される際に前記マンモグラフィ装置と電気的に接続され、前記電力供給手段は、前記マンモグラフィ装置に設けられた電源から供給されることが好ましい。
【発明の効果】
【００１９】
本発明に係る圧迫板によれば、圧迫される乳房側に指向する発光体を圧迫板に設けたので、発光体と乳房との距離を短くすることが可能であり、両者の間の障害物の影響が小さくなる。これにより、乳房を圧迫板により圧迫・固定した状態での、作業者による作業効率を向上することができる。
【図面の簡単な説明】
【００２０】
【図１】本実施の形態に係る圧迫板が組み込まれたマンモグラフィ装置の斜視図である。
【図２】本実施の形態に係る圧迫板の斜視図である。
【図３】図１のマンモグラフィ装置の一部側面図である。
【図４】図２の圧迫板のＩＶ−ＩＶ線に沿った一部省略断面図である。
【図５】本実施の形態の第１変形例に係る圧迫板の一部省略断面図である。
【図６】本実施の形態の第２変形例に係る圧迫板の一部省略断面図である。
【発明を実施するための形態】
【００２１】
以下、本発明に係る圧迫板について好適な実施形態を挙げ、図１〜図４を参照しながら詳細に説明する。
【００２２】
図１に示すように、本実施の形態に係る圧迫板３４が組み込まれたマンモグラフィ装置１０は、基本的には、立設状態に設置される基台１４と、該基台１４の略中央部に配設された旋回軸１６の先端部に固定されるアーム部材１８と、被検体２０の検査対象物としてのマンモ２２（図３参照）に対して放射線２４を照射する放射線源２６を収容し、アーム部材１８の一端部に固定される放射線源収容部２８と、マンモ２２を透過した放射線２４を検出する固体検出器（放射線検出器）３０が収容され、アーム部材１８の他端部に固定される撮影台３２と、撮影台３２に対してマンモ２２を圧迫して保持する圧迫板３４と、圧迫板３４に装着され、マンモ２２の生検部位３６から必要な組織を採取するバイオプシハンド部３８とを備える。
【００２３】
なお、図１及び図３では、座位の体勢にある被検体２０のマンモ２２を圧迫板３４及び撮影台３２により圧迫固定した状態において、マンモ２２に対する放射線２４の照射や生検部位３６に対する組織の採取が行われる場合を図示している。また、基台１４には、被検体２０の撮影部位等の撮影条件や被検体２０のＩＤ情報等を表示すると共に、必要に応じてこれらの情報を設定可能な表示操作部４０が配設される。
【００２４】
放射線源収容部２８及び撮影台３２を連結するアーム部材１８は、旋回軸１６を中心として旋回することで、被検体２０のマンモ２２に対する方向が調整可能に構成される。また、放射線源収容部２８は、ヒンジ部４２を介してアーム部材１８に連結されており、矢印θ方向に撮影台３２とは独立に旋回可能に構成される。
【００２５】
アーム部材１８には、被検体２０が対向する側部（正面側）に矢印Ｚ方向に沿って溝部４４が設けられ、一方で、矢印Ｙ方向に沿った両側部には、被検体２０が把持するための取手部５８がそれぞれ設けられている。圧迫板３４の基端部５４にはコネクタ５６が設けられており、基端部５４及びコネクタ５６を溝部４４に挿入して図示しない取付部と嵌合することにより、圧迫板３４が放射線源収容部２８と撮影台３２との間に配設される共に、マンモグラフィ装置１０の基台１４側と圧迫板３４側との間で、コネクタ５６を介しての電力供給や信号の送受信が可能となる。また、圧迫板３４が放射線源収容部２８と撮影台３２との間に配設されることで、該圧迫板３４は、前記取付部が溝部４４に沿って矢印Ｚ方向に変位することにより、該取付部と一体的に矢印Ｚ方向に変位可能である。
【００２６】
圧迫板３４は、図１及び図２に示すように、被検体２０のマンモ２２を圧迫する矩形状の底板４６（圧迫部）と、該底板４６の外周部から放射線源収容部２８側に向かって立設する４つの側壁５２ａ〜５２ｄと、側壁５２ａから溝部４４側に延在する前述の基端部５４と、該基端部５４に設けられた前述のコネクタ５６とを有する。
【００２７】
側壁５２ａ〜５２ｄのうち、基端部５４に連結された側壁５２ａは、他の３つの側壁５２ｂ〜５２ｄよりも幅広の形状とされており、この側壁５２ａの上面にバイオプシハンド部３８が取り付けられている。また、底板４６における被検体２０の胸壁４８側には、バイオプシハンド部３８を用いた組織採取のための開口部５０が設けられる。バイオプシハンド部３８は、側壁５２ａに固定されたポスト７０と、ポスト７０に一端部が軸支され、底板４６の面に沿って旋回可能な第１アーム７２と、第１アーム７２の他端部に一端部が軸支され、底板４６の面に沿って旋回可能な第２アーム７４とを備える。第２アーム７４の他端部には、矢印Ｚ方向に移動可能な生検針７６が装着される。
【００２８】
生検針７６は、マンモ２２の病変部位（例えば、石灰化部分）としての生検部位３６の組織（石灰化組織）を吸引して採取する採取部７８を有する。生検針７６の採取部７８は、バイオプシハンド部３８の第１アーム７２及び第２アーム７４を底板４６の面に沿ったＸ−Ｙ平面内で移動させると共に、生検針７６を矢印Ｚ方向に移動させることにより、生検部位３６の近傍に配置することができる。
【００２９】
図２及び図３に示すように、側壁５２ａの内側面には、圧迫板３４の底板４６側を照明するための補助灯６０が取り付けられている。また、側壁５２ｄの外側面には、補助灯６０の点灯・消灯を手動で切替可能であるスイッチ６２が付設されている。
【００３０】
図４に示すように、側壁５２ａの内側面の一部が略円錐状に刳り貫かれており、その開口が透光性の材質からなる円板状のカバー６３によって被蓋され、室６４が形成されている。室６４の内壁にはＬＥＤ６６（発光体）が固設されており、圧迫板３４の底板４６の上面側（特に、開口部５０）に指向する。ＬＥＤ６６には２本の配線６８ａ、６８ｂが設けられている。一方の配線６８ａは、スイッチ６２を経由し、コネクタ５６を介して、マンモグラフィ装置１０に配設されている電源１００と接続されている。他方の配線６８ｂは、コネクタ５６を介して前記電源１００と接続されている。
【００３１】
本実施形態に係る圧迫板３４が組み込まれたマンモグラフィ装置１０は、基本的には以上のように構成されるものであり、次にその動作について説明する。
【００３２】
図１に示すように、撮影に先立ち、マンモ２２に応じた管電流、管電圧、放射線２４の照射線量、照射時間、撮影方法、撮影順序等の撮影条件が設定される。
【００３３】
次いで、作業者は、被検体２０のマンモ２２のポジショニングを行う。すなわち、マンモ２２を撮影台３２の所定位置（開口部４８に対向する位置）に配置した後、図示しない駆動制御部により圧迫板３４を撮影台３２に向かって矢印Ｚ方向に移動させ、マンモ２２を圧迫してポジショニングを行う。
【００３４】
図４に示すように、作業者は、ポジショニングの確認を行う際に、圧迫板３４に付設されたスイッチ６２をＯＦＦ状態からＯＮ状態にする。そうすると、配線６８ａ、６８ｂにより構成される電気回路が閉状態となり、ＬＥＤ６６に電力が供給され、ＬＥＤ６６が点灯される。そして、ＬＥＤ６６からの放射光は、カバー６３を透過され、底板４６の上面側に到達する。特に、補助灯６０のＬＥＤ６６は開口部５０を指向しているので、圧迫板３４により圧迫・固定されているマンモ２２の周辺に光が照射される。
【００３５】
ここで、作業者が圧迫板３４の上方を覆う姿勢で作業を行う場合であっても、補助灯６０の放射光は略水平方向から照射されるので、照明光の光路が遮断されることはない。
【００３６】
作業者は、所定の作業が終了すると、スイッチ６２をＯＮ状態からＯＦＦ状態にする。そうすると、配線６８ａ、６８ｂにより構成される電気回路が開状態となり、電源１００からの電力の供給が停止され、ＬＥＤ６６が消灯される。また、生検施術の場合においても、上記放射線画像撮影の場合と同様に、作業者は必要に応じて補助灯６０を用いて作業を行うことができる。
【００３７】
このように、底板４６により圧迫されるマンモ２２側に指向する補助灯６０を圧迫板３４に設けたので、補助灯６０とマンモ２２との距離を短くすることが可能であり、両者の間の障害物の影響が小さくなる。これにより、マンモ２２を圧迫板３４により圧迫・固定した状態での、作業者による作業効率を向上することができる。
【００３８】
本実施の形態に係る圧迫板３４は、上述した説明に限定されることはなく、種々の構成に変更することが可能である。本実施形態の変形例（第１及び第２変形例）について、図５及び図６を参照しながら説明する。なお、以下の変形例において本実施の形態と同一である構成要素には、同一の参照符号を付して詳細な説明を省略し、以下同様とする。
【００３９】
図５に示すように、第１変形例が本実施の形態と構成上異なっているのは、圧迫板３４が電源１００（バッテリ）を備えている点である。このように構成しているので、マンモグラフィ装置１０からの電力供給が不要になる。
【００４０】
図６に示すように、第２変形例が本実施の形態と構成上異なっているのは、補助灯６０が側壁５２ｂ側に設けられている点である。このように構成しているので、補助灯６０と開口部５０（すなわち、マンモ２２）との距離が短くなるので、マンモ２２に照射される光量が多くなり、それだけ輝度が高くなる。これにより、作業の効率がさらに向上する。
【００４１】
なお、この発明は、上述した実施形態に限定されるものではなく、この発明の要旨を逸脱しない範囲で自由に変更できることは勿論である。
【００４２】
本実施の形態において、発光体としてＬＥＤを用いているが、これに限定されることはない。例えば、白熱電球、蛍光ランプや、水銀ランプ等の高輝度放電ランプ、エレクトロルミネッセンス素子であってもよい。
【００４３】
また、電力供給手段は、直流電源、交流電源（単相式、三相式等）でもよいことはいうまでもなく、あるいは種々のバッテリを用いることができる。
【符号の説明】
【００４４】
１０…マンモグラフィ装置                  ２０…被検体
２２…マンモ                              ３２…撮影台
３４…圧迫板                              ３６…生検部位
４６…底板                                ５２ａ〜５２ｄ…側壁
６０…補助灯                              ６２…スイッチ
６４…室                                  ６６…ＬＥＤ
６８ａ、６８ｂ…配線                      １００…電源
【図１】
2011152327.tif 000003
【図２】
2011152327.tif 000004
【図３】
2011152327.tif 000005
【図４】
2011152327.tif 000006
【図５】
2011152327.tif 000007
【図６】
2011152327.tif 000008